(57)【要約】【課題】  広く均一な配光を可能とし器具構成が簡単で取付け容易な照明装置を提供する。【解決手段】略平行な略線状の一対の支持体１ａ、１ｂが電源に接続される導体７を有する。略平板状の灯体２は導体７に接続されて導体７からの電力供給により発光する光源３を有する。灯体２は、一対の支持体１ａ、１ｂに支持される支持部４を灯体２の相対向する一対の側縁部に沿って設けている。  灯体２が略平板状をなすため広く均一な配光が可能となるとともに、バランスウエイトや導体アームを必要とする従来例と比べて器具構成が簡単になり、支持体１ａ、１ｂが取付け容易となる。【選択図】        図１
2006236878.tif 000002
【特許請求の範囲】
【請求項１】
電源に接続される給電線を有する略平行な略線状の一対の支持体と、前記給電線に接続されて前記給電線からの電力供給により発光する光源を有する略平板状の灯体とを備え、前記灯体は、前記一対の支持体に支持される支持部を前記灯体の相対向する一対の側縁部に沿って設けた照明装置。
【請求項２】
前記支持部は外向きに溝を有し、前記一対の支持体は前記溝に挿通されて前記灯体を前記一対の支持体間に挟み込んで支持する請求項１記載の照明装置。
【請求項３】
前記支持体は略剛体の柱状体である請求項１記載の照明装置。
【請求項４】
前記一対の支持体は、それぞれ断面略コ字状であり、そのコ字開口が相対向するように配置されており、前記支持部は前記支持体の前記コ字開口内に挿入されている請求項３記載の照明装置。  
【発明の詳細な説明】
【技術分野】
【０００１】
この発明は、照明装置に関するものである。
【背景技術】
【０００２】
従来（例えば特許文献１参照）、平行に張設された２本の電線間に接続した複数の灯具を備えた照明装置があった。
【特許文献１】実公平４−４６３２９号公報
【発明の開示】
【発明が解決しようとする課題】
【０００３】
しかし、灯具がスポットライトであるため、広く均一な配光が困難であり、また平行電線と灯具との間を導体アームで連結する必要があるため、器具構成が複雑で取付け容易でなかった。またスポットライトの長手方向が光の照射方向であるため、光の照射方向を変える場合に灯具の重量をバランスするためのバランスウエイトが必要であり、このため灯具が大型化し構造が複雑化した。
【０００４】
したがって、この発明の目的は、広く均一な配光を可能とし器具構成が簡単で取付け容易な照明装置を提供することである。
【課題を解決するための手段】
【０００５】
この発明の照明装置は、略平行な略線状の一対の支持体が電源に接続される給電線を有する。略平板状の灯体は前記給電線に接続されて前記給電線からの電力供給により発光する光源を有する。前記灯体は、前記一対の支持体に支持される支持部を前記灯体の相対向する一対の側縁部に沿って設けている。
【０００６】
上記構成において、前記支持部は外向きに溝を有し、前記一対の支持体は前記溝に挿通されて前記灯体を前記一対の支持体間に挟み込んで支持する。
【０００７】
上記構成において、前記支持体は略剛体の柱状体である。
【０００８】
上記構成において、前記一対の支持体は、それぞれ断面略コ字状であり、そのコ字開口が相対向するように配置されており、前記支持部は前記支持体の前記コ字開口内に挿入されている。
【発明の効果】
【０００９】
この発明の照明装置によれば、灯体が略平板状をなすため広く均一な配光が可能となるとともに、バランスウエイトや導体アームを必要とする従来例と比べて器具構成が簡単になり、灯体を支持体に取付け容易になる。灯体に支持される支持部を灯体の両側縁に沿って設けているため、灯体が回動することなく安定して支持することが可能である。
【００１０】
灯体を一対の支持体間に挟み込んで支持するようにすると、特別な機構の追加なしに、上下方向や支持方向の揺れによる灯体の落下を防止することができる。
【００１１】
支持体を略剛体の柱状体にすると、強固に灯体を保持することが可能である。
【００１２】
一対の支持体を断面略コ字状とし、そのコ字開口が相対向するように配置されており、前記支持部は前記支持体の前記コ字開口内に挿入される構成にすると、支持部への電源の供給が支持体の内部で充電部が露出しない状態で行うことができるので、照射箇所を任意の位置に変えることができる。
【発明を実施するための最良の形態】
【００１３】
この発明の第１の実施の形態を図１から図３により説明する。すなわち、この照明装置は、支持体１ａ、１ｂと、灯体２からなる。
【００１４】
支持体１ａ、１ｂは、導体７を有する線状の剛体例えばワイヤであり、表面が絶縁体８で覆われている。支持体１ａ、１ｂは略水平姿勢で平行に配線され張力が掛けられている。導体７は給電線の役割を果たし、その一端は電源装置（図示せず）に接続され、一方の支持体１ａが高圧側となり他方の支持体１ｂが低圧（コモン）側となる。
【００１５】
灯体２は、四角形の略平板状であり、電力供給により発光する例えば有機ＥＬランプユニットなどの光源３を有し、灯体２の周縁部を除く表面全体に発光面を形成している。灯体２の両側縁に沿って支持部４を配置し、支持部４を灯体２に回動可能に連結している。すなわち、灯体２の両側縁の中央に軸５を突設し、支持部４に軸受孔１５を形成し、軸５に軸受孔１５を嵌合し、抜け止め手段で抜け止めすることにより連結している。また軸５は光源３と電気的に接続され、軸５を介して支持部４と電気的に接続されている。これによって、灯体２が支持体１ａ、１ｂに対して機械的に保持されかつ電気的に接続されている。
【００１６】
支持部４は溝を形成することより形成した断面コ字形であり、溝開口６が下向きとなり、その一側片の中央に軸受孔１５を形成している。支持部４の溝開口６内に支持体１ａ、１ｂが挿入されることにより支持部４が支持体１ａ、１ｂに安定に支持される。軸５と軸受孔１５との嵌合は摩擦係止可能な構成とし、灯体２は支持部４に対して回動した位置で停止することができる。また、支持部４の溝開口６内に支持体１ａ、１ｂが挿入されることにより絶縁体８に食い込んで導体７に接触する接触手段により支持部４と導体７とが電気的に接続される。
【００１７】
この実施の形態によれば、２本の支持体１ａ、１ｂを平行に張り、各支持体１ａ、１ｂに支持部４を載せるように置くことで灯体２の設置および点灯が可能となる。このため、灯体２を支持体１ａ、１ｂに容易に取付けることができる。灯体２は平板状であるため、面発光できるので、広く均一な配光が可能となる。また灯体２の支持部４と光源３を軸５を介して機械的かつ電気的に接続しているため、２個の支持部４がそれぞれ回動可能となるため、灯体２を支持体１ａ、１ｂに対して回動することができ、灯体２の照射方向を任意の角度に変更することができる。
【００１８】
軸５は灯体２の両側縁の中央に設けているため、灯体を傾けても重量バランスを容易にとることができる。
【００１９】
支持体１ａ、１ｂは低電圧回路の場合絶縁体が必要でないが、絶縁体がない場合には、支持部４と支持体１ａ、１ｂとが直接接触するので電気接続が容易になるとともに、支持部４を支持体１ａ、１ｂに対してスライド移動可能となり、照射箇所を容易に変えることができる。
【００２０】
また支持体１ａ、１ｂは灯体２の大きさに合わせて自由に配置できるとともに、支持部４を灯体２の周縁部に配置しているため灯体２をより薄くすることができる。
【００２１】
この発明の第２の実施の形態を図４および図５により説明する。すなわち、第１の実施の形態において、支持部４の溝開口６が灯体２の両側縁の外方に向き、軸受孔１５を溝開口６と反対側に形成している。また支持体１ａ、１ｂは張力が掛けられて、その張力で灯体２を挟持している。  
【００２２】
この実施の形態によれば、平板状の灯体２を支持体１ａ、１ｂで挟み込んでいるため、特別な機構の追加なしに上下方向や灯体２の支持方向の揺れによる落下を防止することができる。その他は第１の実施の形態と同様である。  
【００２３】
なお、想像線で示すストッパ９を支持体１ａ、１ｂに設けると、支持体１ａ、１ｂを垂直姿勢にすることも可能となる。
【００２４】
この発明の第３の実施の形態を図６から図８により説明する。すなわち、第１の実施の形態において、支持体１ａ、１ｂは断面コ字形の略剛体の柱状体により構成し、内面に沿って給電線となる電極１１を設け、コ字開口１０を相対向している。
【００２５】
灯体２は両側縁が支持部４を兼用し、支持部４が支持体１ａ、１ｂ内にスライド挿入され、これにより灯体２が支持体１ａ、１ｂ間に位置決め支持される。また支持部４の中央に電極１２を設け、電極１２と光源３とが電気的に接続されている。
【００２６】
支持部４が支持体１ａ、１ｂ内にスライド挿入されると電極１１、１２同士が接触し、電源から電力が電極１１、１２を通して光源３に給電可能となる。灯体２の裏面には着脱操作用のつまみ１４を凹設している。
【００２７】
支持体１ａ、１ｂを長く形成するとともに、支持体１ａ、１ｂを吊り下げ部材１３により吊り下げると、複数の灯体２を共通の支持体１ａ、１ｂに支持することができる。
【００２８】
図９はつまみ１４を凸形状にした形態を示す。
【００２９】
この実施の形態によれば、略剛体の支持体１ａ、１ｂを用いているため、強固に灯体２を保持することが可能である。電源の供給が支持体１ａ、１ｂの内部で行われるため、充電部が露出することがない。つまり、低圧、高圧によらず照射箇所を任意の位置に変えることができる。またつまみ１４などの操作部を設けていると照射箇所を容易に任意に変えられる。
【図面の簡単な説明】
【００３０】
【図１】この発明の第１の実施の形態の斜視図である。
【図２】その分解斜視図である。
【図３】灯体を支持体に対して回動した状態の斜視図である。
【図４】この発明の第２の実施の形態の斜視図である。
【図５】灯体を支持体に対して回動した状態の斜視図である。
【図６】この発明の第３の実施の形態の分解斜視図である。
【図７】灯体を支持体に支持した状態の斜視図である。
【図８】その裏側からみた斜視図である。
【図９】つまみの別の形態を示す斜視図である。
【符号の説明】
【００３１】
１ａ    支持体
１ｂ    支持体
２    灯体
３    光源  
４    支持部
７    導体
８    絶縁体
【図１】
2006236878.tif 000003
【図２】
2006236878.tif 000004
【図３】
2006236878.tif 000005
【図４】
2006236878.tif 000006
【図５】
2006236878.tif 000007
【図６】
2006236878.tif 000008
【図７】
2006236878.tif 000009
【図８】
2006236878.tif 000010
【図９】
2006236878.tif 000011